【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】微生物の活性を低減させる方法であって、
アミノ酸配列ＫＰＶを含む一又はそれ以上のペプチド、アミノ酸配列ＭＥＨＦＲＷＧを含む一又はそれ以上のペプチド、あるいはこれらのペプチドのいずれかの生物学的機能同等物からなる群から選択される抗菌剤に、微生物を曝す工程を備える、方法。
【請求項２】前記抗菌剤は、アミノ酸配列ＫＰＶを含む一又はそれ以上のペプチド、あるいはこれらのペプチドのいずれかの生物学的機能同等物からなる群から選択される、請求項１記載の方法。
【請求項３】前記抗菌剤は、アミノ酸配列ＫＰＶを含む一又はそれ以上のペプチドからなる群から選択される、請求項２記載の方法。
【請求項４】前記抗菌剤の全アミノ酸配列はＫＰＶである、請求項３記載の方法。
【請求項５】前記抗菌剤は、アミノ酸配列ＨＦＲＷＧＫＰＶを含む一又はそれ以上のペプチド、あるいはこれらのペプチドのいずれかの生物学的機能同等物からなる群から選択される、請求項１記載の方法。
【請求項６】前記抗菌剤は、アミノ酸配列ＨＦＲＷＧＫＰＶを含む一又はそれ以上のペプチドからなる群から選択される、請求項４記載の方法。
【請求項７】前記抗菌剤の全アミノ酸配列は、ＨＦＲＷＧＫＰＶである、請求項５記載の方法。
【請求項８】前記抗菌剤は、アミノ酸配列ＳＹＳＭＥＨＦＲＷＧＫＰＶを含む一又はそれ以上のペプチド、あるいはこれらのペプチドのいずれかの生物学的機能同等物からなる群から選択される、請求項１記載の方法。
【請求項９】前記抗菌剤は、アミノ酸配列ＳＹＳＭＥＨＦＲＷＧＫＰＶを含む一又はそれ以上のペプチドからなる群から選択される、請求項７記載の方法。
【請求項１０】前記抗菌剤の全アミノ酸配列は、ＳＹＳＭＥＨＦＲＷＧＫＰＶである、請求項８記載の方法。
【請求項１１】前記抗菌剤は、アミノ酸配列ＭＥＨＦＲＷＧを含む一又はそれ以上のペプチド、あるいはこれらのペプチドのいずれかの生物学的機能同等物からなる群から選択される、請求項１記載の方法。
【請求項１２】前記抗菌剤は、アミノ酸配列ＭＥＨＦＲＷＧを含む一又はそれ以上のペプチドからなる群から選択される、請求項１１記載の方法。
【請求項１３】前記抗菌剤の全アミノ酸配列は、ＭＥＨＦＲＷＧである、請求項１１記載の方法。
【請求項１４】前記抗菌剤は、天然のα−ＭＳＨを除外する、請求項１記載の方法。
【請求項１５】前記抗菌剤は、さらに、アミノ酸鎖長が１４までの一又はそれ以上のペプチドからなる群から選択される、請求項１記載の方法。
【請求項１６】前記抗菌剤は、さらに、アミノ酸鎖長が８までの一又はそれ以上のペプチドからなる群から選択される、請求項１５記載の方法。
【請求項１７】前記抗菌剤は、Ｎ−アセチル化及びＣ−アミド化されている、請求項１記載の方法。
【請求項１８】前記抗菌剤の濃度は、少なくとも１０-12モル濃度である、請求項１記載の方法。
【請求項１９】前記抗菌剤の濃度は、少なくとも１０-6モル濃度である、請求項１８記載の方法。
【請求項２０】前記微生物は、Ｓｔａｐｈｙｒｏｃｏｃｃｕｓ ａｕｒｅｕｓあるいはＣａｎｄｉｄａ ａｌｂｉｃａｎｓを含む、請求項１記載の方法。
【請求項２１】酵母の発芽を低減させる方法であって、
アミノ酸配列ＫＰＶを含む一又はそれ以上のペプチド、あるいはこれらのペプチドのいずれかの生物学的機能同等物からなる群から選択される抗菌剤に、酵母を曝す工程を備える、方法。
【請求項２２】前記抗菌剤は、アミノ酸配列ＫＰＶを含む一又はそれ以上のペプチド、あるいはこれらのペプチドのいずれかの生物学的機能同等物からなる群から選択される、請求項２１記載の方法。
【請求項２３】前記抗菌剤は、アミノ酸配列ＫＰＶを含む一又はそれ以上のペプチドからなる群から選択される、請求項２２記載の方法。
【請求項２４】前記抗菌剤の全アミノ酸配列は、ＫＰＶである、請求項２３記載の方法。
【請求項２５】前記抗菌剤は、アミノ酸配列ＨＦＲＷＧＫＰＶを含む一又はそれ以上のペプチド、あるいはこれらのペプチドのいずれかの生物学的機能同等物からなる群から選択される、請求項２１記載の方法。
【請求項２６】前記抗菌剤は、アミノ酸配列ＨＦＲＷＧＫＰＶを含む一又はそれ以上のペプチドからなる群から選択される、請求項２５記載の方法。
【請求項２７】前記抗菌剤の全アミノ酸配列は、ＨＦＲＷＧＫＰＶである、請求項２６記載の方法。
【請求項２８】前記抗菌剤は、アミノ酸配列ＳＹＳＭＥＨＦＲＷＧＫＰＶを含む一又はそれ以上のペプチド、あるいはこれらのペプチドのいずれかの生物学的機能同等物からなる群から選択される、請求項２１記載の方法。
【請求項２９】前記抗菌剤は、アミノ酸配列ＳＹＳＭＥＨＦＲＷＧＫＰＶを含む一又はそれ以上のペプチドからなる群から選択される、請求項２８記載の方法。
【請求項３０】前記抗菌剤の全アミノ酸配列は、ＳＹＳＭＥＨＦＲＷＧＫＰＶである、請求項２９記載の方法。
【請求項３１】前記抗菌剤は、天然のα−ＭＳＨを除外する、請求項２１記載の方法。
【請求項３２】前記抗菌剤は、さらに、アミノ酸鎖長が１３までの一又はそれ以上のペプチドからなる群から選択される、請求項２１記載の方法。
【請求項３３】前記抗菌剤は、さらに、アミノ酸鎖長が８までの一又はそれ以上のペプチドからなる群から選択される、請求項３２記載の方法。
【請求項３４】前記抗菌剤は、Ｎ−アセチル化及びＣ−アミド化されている、請求項２１記載の方法。
【請求項３５】前記抗菌剤の濃度は、少なくとも１０-12モル濃度である、請求項２１記載の方法。
【請求項３６】前記抗菌剤の濃度は、少なくとも１０-6モル濃度である、請求項３５記載の方法。
【請求項３７】前記酵母は、Ｃａｎｄｉｄａ ａｌｂｉｃａｎｓを含む、請求項２１記載の方法。
【請求項３８】ヒト好中球細胞による微生物の死滅の低減を伴わない微生物の死滅方法であって、 アミノ酸配列ＫＰＶを含む一又はそれ以上のペプチド、あるいはこれらのペプチドのいずれかの生物学的機能同等物からなる群から選択される抗菌剤に、微生物を曝す工程を備える、方法。
【請求項３９】前記抗菌剤は、アミノ酸配列ＫＰＶを含む一又はそれ以上のペプチド、あるいはこれらのペプチドのいずれかの生物学的機能同等物からなる群から選択される、請求項３８記載の方法。
【請求項４０】前記抗菌剤は、アミノ酸配列ＫＰＶを含む一又はそれ以上のペプチドからなる群から選択される、請求項３９記載の方法。
【請求項４１】前記抗菌剤の全アミノ酸配列は、ＫＰＶである、請求項４０記載の方法。
【請求項４２】前記抗菌剤は、アミノ酸配列ＳＹＳＭＥＨＦＲＷＧＫＰＶを含む一又はそれ以上のペプチド、あるいはこれらのペプチドのいずれかの生物学的機能同等物からなる群から選択される、請求項３８記載の方法。
【請求項４３】前記抗菌剤は、アミノ酸配列ＳＹＳＭＥＨＦＲＷＧＫＰＶを含む一又はそれ以上のペプチドからなる群から選択される、請求項４２記載の方法。
【請求項４４】前記抗菌剤の全アミノ酸配列は、ＳＹＳＭＥＨＦＲＷＧＫＰＶある、請求項４３記載の方法。
【請求項４５】前記抗菌剤は、天然のα−ＭＳＨを除外する、請求項３３記載の方法。
【請求項４６】前記抗菌剤は、さらに、アミノ酸鎖長が１３までの一又はそれ以上のペプチドからなる群から選択される、請求項３８記載の方法。
【請求項４７】前記抗菌剤は、Ｎ−アセチル化及びＣ−アミド化されている、請求項３８記載の方法。
【請求項４８】前記抗菌剤の濃度は、少なくとも１０-12モル濃度である、請求項３８記載の方法。
【請求項４９】前記抗菌剤の濃度は、少なくとも１０-6モル濃度である、請求項４８記載の方法。
【請求項５０】前記酵母は、Ｃａｎｄｉｄａ ａｌｂｉｃａｎｓを含む、請求項３８記載の方法。
【請求項５１】微生物の死滅の低減を伴わない、微生物感染における炎症の治療方法であって、 アミノ酸配列ＫＰＶを含む一又はそれ以上のペプチド、あるいはこれらのペプチドのいずれかの生物学的機能同等物からなる群から選択される抗菌剤に微生物を曝す工程を有する、方法。
【請求項５２】前記抗菌剤は、アミノ酸配列ＫＰＶを含む一又はそれ以上のペプチド、あるいはこれらのペプチドのいずれかの生物学的機能同等物からなる群から選択される、請求項５１記載の方法。
【請求項５３】前記抗菌剤は、アミノ酸配列ＫＰＶを含む一又はそれ以上のペプチドからなる群から選択される、請求項５２記載の方法。
【請求項５４】前記抗菌剤の全アミノ酸配列は、ＫＰＶである、請求項５３記載の方法。
【請求項５５】前記抗菌剤は、アミノ酸配列ＳＹＳＭＥＨＦＲＷＧＫＰＶを含む一又はそれ以上のペプチド、あるいはこれらのペプチドのいずれかの生物学的機能同等物からなる群から選択される、請求項５１記載の方法。
【請求項５６】前記抗菌剤は、アミノ酸配列ＳＹＳＭＥＨＦＲＷＧＫＰＶを含む一又はそれ以上のペプチドからなる群から選択される、請求項５５記載の方法。
【請求項５７】前記抗菌剤の全アミノ酸配列は、ＳＹＳＭＥＨＦＲＷＧＫＰＶである、請求項５６記載の方法。
【請求項５８】前記抗菌剤は、天然のα−ＭＳＨを除外する、請求項５１記載の方法。
【請求項５９】前記抗菌剤は、さらに、アミノ酸鎖長が１３までの一又はそれ以上のペプチドからなる群から選択される、請求項５１記載の方法。
【請求項６０】前記抗菌剤は、Ｎ−アセチル化及びＣ−アミド化されている、請求項５１記載の方法。
【請求項６１】前記抗菌剤の濃度は、少なくとも１０-12モル濃度である、請求項５１記載の方法。
【請求項６２】前記抗菌剤の濃度は、少なくとも１０-6モル濃度である、請求項６１記載の方法。
【請求項６３】前記微生物は、Ｃａｎｄｉｄａ ａｌｂｉｃａｎｓを含む、請求項５１記載の方法。
【請求項６４】微生物におけるｃＡＭＰの蓄積を増大させる方法であって、 アミノ酸配列ＫＰＶを含む一又はそれ以上のペプチド、あるいはこれらのペプチドのいずれかの生物学的機能同等物からなる群から選択される抗菌剤に微生物を曝す工程を備える、方法。
【請求項６５】前記抗菌剤は、アミノ酸配列ＫＰＶを含む一又はそれ以上のペプチド、あるいはこれらのペプチドのいずれかの生物学的機能同等物からなる群から選択される、請求項６４記載の方法。
【請求項６６】前記抗菌剤は、アミノ酸配列ＫＰＶを含む一又はそれ以上のペプチドからなる群から選択される、請求項６５記載の方法。
【請求項６７】前記抗菌剤の全アミノ酸配列は、ＫＰＶである、請求項６６記載の方法。
【請求項６８】前記抗菌剤は、アミノ酸配列ＳＹＳＭＥＨＦＲＷＧＫＰＶを含む一又はそれ以上のペプチド、あるいはこれらのペプチドのいずれかの生物学的機能同等物からなる群から選択される、請求項６４記載の方法。
【請求項６９】前記抗菌剤は、アミノ酸配列ＳＹＳＭＥＨＦＲＷＧＫＰＶを含む一又はそれ以上のペプチドからなる群から選択される、請求項６８記載の方法。
【請求項７０】前記抗菌剤の全アミノ酸配列は、ＳＹＳＭＥＨＦＲＷＧＫＰＶである、請求項６９記載の方法。
【請求項７１】前記抗菌剤は、天然のα−ＭＳＨを除外する、請求項６４記載の方法。
【請求項７２】前記抗菌剤は、さらに、アミノ酸鎖長が１３までの一又はそれ以上のペプチドからなる群から選択される、請求項６４記載の方法。
【請求項７３】前記抗菌剤は、Ｎ−アセチル化及びＣ−アミド化されている、請求項６４記載の方法。
【請求項７４】前記抗菌剤の濃度は、少なくとも１０-12モル濃度である、請求項６４記載の方法。
【請求項７５】前記抗菌剤の濃度は、少なくとも１０-6モル濃度である、請求項７４記載の方法。
【請求項７６】前記酵母は、Ｃａｎｄｉｄａ ａｌｂｉｃａｎｓを含む、請求項６４記載の方法。
【請求項７７】 アミノ酸配列ＫＰＶを含む一又はそれ以上のペプチド、アミノ酸配列ＭＥＨＦＲＷＧを含む一又はそれ以上のペプチド、あるいはこれらのペプチドのいずれかの生物学的機能同等物からなる群から選択される抗菌剤。
【請求項７８】前記抗菌剤は、アミノ酸配列ＫＰＶを含む一又はそれ以上のペプチド、あるいはこれらのペプチドのいずれかの生物学的機能同等物からなる群から選択される、請求項７７記載の抗菌剤。
【請求項７９】前記抗菌剤は、アミノ酸配列ＫＰＶを含む一又はそれ以上のペプチドからなる群から選択される、請求項７８記載の抗菌剤。
【請求項８０】前記抗菌剤の全アミノ酸配列は、ＫＰＶである、請求項７８記載の抗菌剤。
【請求項８１】前記抗菌剤は、アミノ酸配列ＨＦＲＷＧＫＰＶを含む一又はそれ以上のペプチド、あるいはこれらのペプチドのいずれかの生物学的機能同等物からなる群から選択される、請求項７７記載の抗菌剤。
【請求項８２】前記抗菌剤は、アミノ酸配列ＨＦＲＷＧＫＰＶを含む一又はそれ以上のペプチドからなる群から選択される、請求項８１記載の抗菌剤。
【請求項８３】前記抗菌剤の全アミノ酸配列は、ＨＦＲＷＧＫＰＶである、請求項８２記載の抗菌剤。
【請求項８４】前記抗菌剤は、アミノ酸配列ＳＹＳＭＥＨＦＲＷＧＫＰＶを含む一又はそれ以上のペプチド、あるいはこれらのペプチドのいずれかの生物学的機能同等物からなる群から選択される、請求項７７記載の抗菌剤。
【請求項８５】前記抗菌剤は、アミノ酸配列ＳＹＳＭＥＨＦＲＷＧＫＰＶを含む一又はそれ以上のペプチドからなる群から選択される、請求項８４記載の抗菌剤。
【請求項８６】前記抗菌剤の全アミノ酸配列は、ＳＹＳＭＥＨＦＲＷＧＫＰＶである、請求項８５記載の抗菌剤。
【請求項８７】前記抗菌剤は、アミノ酸配列ＭＥＨＦＲＷＧを含む一又はそれ以上のペプチド、あるいはこれらのペプチドのいずれかの生物学的機能同等物からなる群から選択される、請求項７７記載の抗菌剤。
【請求項８８】前記抗菌剤は、アミノ酸配列ＭＥＨＦＲＷＧを含む一又はそれ以上のペプチドからなる群から選択される、請求項８７記載の抗菌剤。
【請求項８９】前記抗菌剤の全アミノ酸配列は、ＭＥＨＦＲＷＧである、請求項８８記載の抗菌剤。
【請求項９０】前記抗菌剤は、天然のα−ＭＳＨを除外する、請求項７７記載の抗菌剤。
【請求項９１】前記抗菌剤は、さらに、アミノ酸鎖長が１３までの一又はそれ以上のペプチドからなる群から選択される、請求項７７記載の抗菌剤。
【請求項９２】前記抗菌剤は、さらに、アミノ酸鎖長が８までの一又はそれ以上のペプチドからなる群から選択される、請求項９１記載の抗菌剤。
【請求項９３】前記抗菌剤は、Ｎ−アセチル化及びＣ−アミド化されている、請求項７７記載の抗菌剤。
【請求項９４】前記抗菌剤の濃度は、少なくとも１０-12モル濃度である、請求項７７記載の抗菌剤。
【請求項９５】前記抗菌剤の濃度は、少なくとも１０-6モル濃度である、請求項９４記載の抗菌剤。
【請求項９６】前記抗菌剤は、Ｓｔａｐｈｙｒｏｃｏｃｃｕｓ ａｕｒｅｕｓあるいはＣａｎｄｉｄａ ａｌｂｉｃａｎｓを含む微生物に対して有効である、請求項７７記載の抗菌剤。